(57)【要約】【課題】墨出しの作業性を向上することができるレーザ墨出し器を提供する。【解決手段】レーザ墨出し器１は、基台２と、当該基台２に垂下された揺動体３と、当該揺動体３に設けられたレーザ投射器４と、前記揺動体３の揺れを制動するダンパー５とを備える。揺動体３の前記上本体3Aと前記下本体3Bとは、当接部39で上下に二分割されている。当該当接部39には、前記制動板15が配置され、当該制動板15は上本体3Aと下本体3Bとで挟持されている。上本体3Aと制動板15と下本体3Bとの間のクリアランスが無いか又はごく僅かであるため、揺動体３をロックしたときに、制動板15が位置ずれを起こすことを抑制することができる。【選択図】図２
2010210503.tif 000002
【特許請求の範囲】
【請求項１】
基台と、
前記基台に揺動可能に垂下された揺動体と、
前記揺動体に設けられたレーザ投射器と、
前記揺動体の揺れを制動するダンパーと
を備えたレーザ墨出し器において、
前記ダンパーは、前記基台に設けられた磁気発生部と、前記磁気発生部に近接して配置された制動板とからなり、
前記揺動体は、上本体と下本体とを有し、前記上本体と前記下本体とは当接部で二分割されてなり、
前記制動板は、前記当接部で挟持された
ことを特徴とするレーザ墨出し器。
【請求項２】
前記磁気発生部は、所定の間隔をあけて対向して配置された一対の磁石を有し、
前記磁石と前記揺動体とを仕切るように形成された壁部を設けたことを特徴とする請求項１記載のレーザ墨出し器。
【請求項３】
前記揺動体は、所定の角度以上に傾いた場合、下方に設けた通電部を介して前記基台に電気的に接続し、
前記揺動体と前記基台が電気的に接続された場合、前記レーザ投射器をオフするように構成された制御部を有する
ことを特徴とする請求項１又は２記載のレーザ墨出し器。
【請求項４】
前記制動板は、
前記揺動体から水平方向に突出して前記一対の磁石の間に配置される一又は二以上の制動片と、
前記揺動体から水平方向に突出してなる係止片と
を有し、
前記係止片に対し着脱自在に係合して前記揺動体を固定するロック部を設けた
ことを特徴とする請求項２記載のレーザ墨出し器。
【請求項５】
前記ロック部は、
前記係止片に対し下方から当接する係止爪と、
前記揺動体を水平方向に押し出し前記係止爪に前記係止片を係合させる位置決め突起と
を有し、
前記通電部が前記基台に電気的に接続しない状態で前記揺動体を固定することを特徴とする請求項４記載のレーザ墨出し器。
【請求項６】
前記揺動体は、互いに直交する２軸で揺動自在に設けられ、
前記２軸と平行にそれぞれ前記レーザ投射器を設けた
ことを特徴とする請求項１〜６記載のレーザ墨出し器。
【発明の詳細な説明】
【技術分野】
【０００１】
本発明は、レーザ光線によって基準線を投射するレーザ墨出し器に関するものである。
【背景技術】
【０００２】
従来、この種のレーザ墨出し器としては、基台上に立設され水平フレームを有する支持脚、水平フレームに水平回転軸を介して垂直面内において揺動可能に支持された支持アーム、支持アームによって支持されレーザ発光素子および軸線を水平にして配置されたロッドレンズを含むレーザ投射器を有するものが開示されている（例えば、特許文献１）。このレーザ墨出し器は、支持アームのアンバランスの向きが決まっていて、一方向から調整すればよいので、バランス調整を容易にすることができる、という効果を発揮する。また、基台上には、電源スイッチと、操作ノブの操作によって駆動され上記電源スイッチをオン、オフするスイッチ操作部材とが設けられ、電源スイッチをオンすることによって上記係合部から離間して支持アームを非ロックとし、電源スイッチをオフすることによって上記係合部に係合して支持アームをロックするロック部材が、スイッチ操作部材に設けられている。
【先行技術文献】
【特許文献】
【０００３】
【特許文献１】特許第４２１５８７０号公報
【発明の概要】
【発明が解決しようとする課題】
【０００４】
しかしながら、上記特許文献１では、水平フレームから離れた支持アームの下端でロック部材が当該支持アームをロックする構成としていることにより、ロック時に当該支持アームの位置がずれてしまうという懸念があった。支持アームの位置がずれると、支持アームのバランスが変化するので、オンオフを繰り返す度に、バランス調整を行う必要があり、墨出し作業が煩雑になる、という問題がある。
【０００５】
また、ロック部材は、支持アームの下端で係合部に係合して、当該支持アームをロックする構成のため、ロック時に係合した制動板が動いて支持アームのバランスが変化してしまうので、作業性が悪いという問題があった。特に、支持アームの下端で係合する構成は、支持アームのバランスに与える影響が大きいので、その都度、バランスを調節する必要があり、作業性を悪化させる原因ともなっている。
【０００６】
さらに、制動板が、支持アーム下端から下方向に突出しているので、可動範囲を広くする必要があり全体として大型化せざるを得ず、また、地墨光を投射するレーザ投射器を設けることが困難である、という問題がある。
【０００７】
また、制動板で支持アームを予めアンバランスとする構成としており、水平回転軸から大きく離れた位置でロックするため、支持アームに大きな力を加える必要があり、構成部品が移動したり、変形したりしてしまい、バランスを調整するのが困難となるので、作業性が悪いという問題がある。
【０００８】
さらに、支持アームの下方でロックする構成としている一方で、電源は、支持アームの上端に設けられているので、構成部品が大型化し、ひいてはコスト増となってしまうという問題がある。
【０００９】
また、バランス調整手段は、ねじ、ピン、重りなどが例示されているが、いずれも固定する手段が記載されていないため、調整したバランスが簡単にずれてしまうという懸念がある。さらに、硬化材料を使用した場合には、当該硬化材料の添加作業が煩雑であるので、バランスを調整するのが困難であるという問題がある。また、ねじを使用する場合には、工具が別途必要となるので、作業が煩雑となる。
【００１０】
さらに、一般的にレーザ発光素子などの発光部品は磁石に吸着されるが、ヨークが支持アームに対し開口しているので、ヨークに保持された磁石に引き寄せられて支持アームが傾くことによりバランスが崩れやすいので、バランスを調整するのが困難であるという問題がある。
【００１１】
そこで、本発明は、小型化を実現すると共に、バランス調整が容易で、墨出しの作業性を向上することができるレーザ墨出し器を提供することを目的とする。
【課題を解決するための手段】
【００１２】
本発明の請求項１に係る発明は、基台と、前記基台に揺動可能に垂下された揺動体と、前記揺動体に設けられたレーザ投射器と前記揺動体の揺れを制動するダンパーとを備えたレーザ墨出し器において、前記ダンパーは、前記基台に設けられた磁気発生部と、前記磁気発生部に近接して配置された制動板とからなり、前記揺動体は、上本体と下本体とを有し、前記上本体と前記下本体とは当接部で二分割されてなり、前記制動板は、前記当接部で挟持されたことを特徴とする。
【００１３】
本発明の請求項２に係る発明は、前記磁気発生部は、所定の間隔をあけて対向して配置された一対の磁石を有し、前記磁石と前記揺動体とを仕切るように形成された壁部を設けたことを特徴とする。
【００１４】
本発明の請求項３に係る発明は、前記揺動体は、所定の角度以上に傾いた場合、下方に設けた通電部を介して前記基台に電気的に接続し、前記揺動体と前記基台が電気的に接続された場合、前記レーザ投射器をオフするように構成された制御部を有することを特徴とする。
【００１５】
本発明の請求項４に係る発明は、前記制動板は、前記揺動体から水平方向に突出して前記一対の磁石の間に配置される一又は二以上の制動片と、前記揺動体から水平方向に突出してなる係止片とを有し、前記係止片に対し着脱自在に係合して前記揺動体を固定するロック部を設けたことを特徴とする。
【００１６】
本発明の請求項５に係る発明は、前記ロック部は、前記係止片に対し下方から当接する係止爪と、前記揺動体を水平方向に押し出し前記係止爪に前記係止片を係合させる位置決め突起とを有し、前記通電部が前記基台に電気的に接続しない状態で前記揺動体を固定することを特徴とする。
【００１７】
本発明の請求項６に係る発明は、前記揺動体は、互いに直交する２軸で揺動自在に設けられ、前記２軸と平行にそれぞれ前記レーザ投射器を設けたことを特徴とする。
【発明の効果】
【００１８】
本発明の請求項１によれば、上本体と下本体とで制動板を挟持する構成としたことにより、揺動体をロックしたときに、制動板が位置ずれを起こすことを抑制することができるので、揺動体のロック及び解除において、制動板のずれが揺動体のバランスに与える影響を軽減することができる。従って、容易にバランス調整を行うことができるので、作業性を向上することができる。また、制動板を揺動体の下端より上方へ配置する構成としたことにより、揺動体の可動範囲を狭くすることができるので、小型化を実現することができる。
【００１９】
本発明の請求項２によれば、揺動体に設けられたレーザ投射器が磁石に吸着するのを防いで、揺動体を自然に鉛直方向に垂下させることができるので、より正確に墨出しを行うことができる。
【００２０】
本発明の請求項３によれば、揺動体が揺動して基台に通電部が当接すると、レーザ投射器を消灯するように構成したことにより、揺動体が揺動可能に鉛直方向に垂下されないために正確な墨出し作業ができない状態であることをユーザに通知することができる。これにより、ユーザが、正確な墨出し作業を行える状態とすることができるので、レーザ墨出し器は作業性を向上することができる。
【００２１】
本発明の請求項４によれば、不使用状態の時に揺動体をロックすることにより、揺動体のバランスがずれるのを防いで、再度解除したときに直ちに作業を行うことが可能になるので、作業性を向上することができる。
【００２２】
本発明の請求項５によれば、ロック部は、揺動体に設けた通電部が基台に当接しない状態で揺動体をロックする構成としたことにより、揺動体のロックを解除した際に、直ちに揺動体を鉛直方向に垂下させることができるので、作業性を向上することができる。
【００２３】
本発明の請求項６によれば、多軸の墨出し作業を同時に行うことができるので、作業性を向上することができる。
【図面の簡単な説明】
【００２４】
【図１】本発明に係るレーザ墨出し器の全体構成を示す図であり（Ａ）一方向から見た斜視図、（Ｂ）他方向から見た斜視図である。
【図２】本発明に係るレーザ墨出し器の全体構成を示す縦断面図である。
【図３】本発明に係るレーザ墨出し器の制動板の構成を示す平面図である。
【図４】本発明に係るレーザ墨出し器の全体構成を示す部分斜視図であり、（Ａ）ロック状態、（Ｂ）解除状態を示す図である。
【発明を実施するための形態】
【００２５】
以下、図面を参照して本発明の実施形態について詳細に説明する。
（１）全体構成
図1に示すレーザ墨出し器１は、基台２と、当該基台２に垂下された揺動体３と、当該揺動体３に設けられたレーザ投射器４と、前記揺動体３の揺れを制動するダンパー５とを備える。このように構成されたレーザ墨出し器１は、揺動体３が鉛直方向に傾きのない状態で保持されることにより、レーザ投射器４から所定方向へ正確にレーザ光線によって基準線を投射し得るように構成されている。
【００２６】
基台２は、脚部６と、当該脚部６に対し、鉛直方向に延びる中心軸Ｚを中心として回転自在に保持された基部７と、当該基部７に立設された枠体８と、当該枠体８の上部に設けられた水平部９とを有する。
【００２７】
脚部６は、三本の脚体10からなる三脚を有し、各脚体10は、長さをそれぞれ調節しうるように構成されている。基部７には、複数（本図では、２個）のダンパー５と、操作部11と、電源としての乾電池（図示しない）を保持するホルダー12とが設けられている。また、基部７は、調整ネジ13により、脚部６に対し、回転角度を微調整し得るように構成されている。
【００２８】
ダンパー５は、それぞれ同様に構成されているので、簡単のため、図中の5Aについて説明する。ダンパー５は、ヨーク16に保持された磁気発生部としての一対の磁石14と、当該一対の磁石14の間に制動片46を配置する制動板15とからなり、磁石14間に生じる磁束内を制動板15が移動した場合に、制動片46に渦電流を生じさせ、磁束と渦電流とにより制動板15の移動方向と逆方向の電磁力を生じさせ得るように構成されている。
【００２９】
ヨーク16は、コ字状に形成されたヨーク本体17と、当該ヨーク本体17と一体的に形成された壁部18とを有する。ヨーク本体17は、上部17Aと下部17Bの内側にそれぞれ磁石14が設けられている。また、壁部18は、前記磁石14と前記揺動体３とを仕切るように形成されている。
【００３０】
本実施形態の場合、壁部18は、上部17A及び下部17Bの一端側の縁をヨーク本体17の内側へ垂直に曲げ形成してなる。上記一対の磁石14は、ヨーク本体17の上部17Aと下部17Bにそれぞれ保持され、所定の間隔をあけて向かい合わせに設けられている。このように構成されたヨーク16は、下部17Bにおいて、基部７にボルトＢで固定されている。
【００３１】
枠体８は、一端が基部７に固定された複数（本図では、３本）の柱部21で構成される。当該柱部21の他端には、水平部９がボルトＢで固定されている。水平部９には、互いに直交する２軸（第１水平軸Ｖｘ、第２水平軸Ｖｙ）で、揺動体３を軸支している。尚、第１水平軸Ｖｘ及び第２水平軸Ｖｙの交点には、基部７の回転中心を通り鉛直方向に平行な中心軸Ｚが交差している。
【００３２】
また、水平部９の上端には、基板22が設けられている。当該基板22は、上記操作部11及びホルダー12に電気的に接続されている。さらに、基板22は、レーザ投射器４及び図示しない切替スイッチに電気的に接続されており、切替スイッチで選択的に所望のレーザ投射器４を点灯し得るように構成されている。
【００３３】
揺動体３は、図2に示すように、上本体3Aと下本体3Bとからなり、レーザ投射器４として、水平方向用レーザ投射部4H、鉛直方向用レーザ投射部4Vx、直角方向用レーザ投射部4Vy、及び、地墨用レーザ投射部4Zがそれぞれ設けられており、軸支部30において、水平部９に軸支されている。軸支部30は、ジンバル機構からなり、第１軸支部30xと、第２軸支部30yとを有する。
【００３４】
尚、水平方向用レーザ投射部4H、鉛直方向用レーザ投射部4Vx、及び直角方向用レーザ投射部4Vyは、図示しないが、半導体レーザと、当該半導体レーザから照射された拡散光を平行光束とするコリメータレンズと、当該平行光束を透過させるロッドレンズとを有する。これにより、一方向にのみ拡散させたレーザ光による基準線として、鉛直方向及び直角方向の垂直線、及び水平方向の平行線を投射し得るように構成されている。
【００３５】
また、地墨用レーザ投射部4Zは、半導体レーザから照射された拡散光をスポット光に変換する光学系（図示しない）が設けられていることにより、地墨用レーザ光を中心軸Ｚの下方向へ投射し得るように構成されている。
【００３６】
揺動体３は、上本体3Aの上部を囲むようにリング体31が配置されており、当該リング体31と水平部９とが第１軸支部30xで軸支されている。また、当該リング体31と揺動体３の上部とが第２軸支部30yで軸支されている。これにより、揺動体３は、第１水平軸Ｖｘ、及び第２水平軸Ｖｙを中心として揺動し得る。
【００３７】
揺動体３の上端には、鉛直方向用レーザ投射部4Vx、及び、直角方向用レーザ投射部4Vyが設けられている。鉛直方向用レーザ投射部4Vx、及び、直角方向用レーザ投射部4Vyは、発光面が水平方向に互いに直交する第１水平軸Ｖｘ方向、及び第２水平軸Ｖｙ方向に平行な向きにそれぞれ指向した状態で固定されている。
【００３８】
本実施形態の場合、鉛直方向用レーザ投射部4Vx、及び、直角方向用レーザ投射部4Vyは、揺動体３の上端に設けられたステイ32に固定され、水平方向より上方へおよそ３０度傾いた方向へ発光面を保持し得るように設けられている。
【００３９】
また、揺動体３は、軸支部30の下方に、水平方向用レーザ投射部4H、調節ネジ、地墨用レーザ投射部4Zがそれぞれ設けられている。
【００４０】
水平方向用レーザ投射部4Hは、上本体3aの中央部分であって、水平方向にレーザ光を投射し得るように、発光面が水平方向に指向した状態で固定されている。
【００４１】
調節ネジ33は、揺動体３から水平方向に突設された雄ネジ34と、当該雄ネジ34に螺合されたバランス用ナット35Aと固定用ナット35Bとからなるダブルナットで構成されている。この調整ネジ33は、雄ネジ34に対し、バランス用ナット35Aの位置を調節することにより、揺動体３のバランスを調節し、固定用ナット35Bを当該バランス用ナット35Aに当接させることで、調節位置を保持するように構成されている。尚、バランス用ナット35Aと固定用ナット35Bは、表面がローレット処理されており、工具を使わずに締め付けたり緩めたりすることができるように構成されている。
【００４２】
地墨用レーザ投射部4Zは、揺動体３の中心軸Ｚ上に設けられており、鉛直下方にレーザ光を投射し得るように、発光面が中心軸Ｚの下方向に指向した状態で固定されている。
【００４３】
揺動体３の下本体3Bには、通電部としての導電性材料で形成したＯリング36が装填されている。このＯリング36は、レーザ墨出し器１が所定角度以上に傾くと、揺動体３が揺動して、基部７に設けられた通電板37に当接することにより、揺動体３と基部７とを電気的に接続し得るように構成されている。
【００４４】
基部７は、図示しないラグ板を介して基板22電気的に接続されている。尚、枠体８と水平部９とは、プラスチック部材23A,23Bで絶縁されている。また、揺動体３は、電源と電気的に接続されている。そして、制御部としての基板22には、図示しない電気回路が形成されており、揺動体３が揺動して通電板37にＯリング36が当接することにより、揺動体３から基板22へＯリング36を介して電流が流れると、レーザ投射器４を消灯し得るように構成されている。
【００４５】
また、揺動体３の下端には、前記地墨用レーザ投射部4Zから投射される地墨レーザ光を通過させる貫通穴38が、揺動体３の中心軸Ｚ上に設けられている。
【００４６】
揺動体３の前記上本体3Aと前記下本体3Bとは、当接部39で上下に二分割されており、ボルトＢによって一体化されている。当該当接部39には、前記制動板15が配置され、当該制動板15は上本体3Aと下本体3Bとで挟持されている。
【００４７】
制動板15は、図3に示すように、導体、例えば銅で形成された板状の部材からなり、挿通穴45と、複数（本図では２個）の制動片46、及び、係止片47とを有する。挿通穴45は、上本体3Aの下端に形成された挿通部48に挿通し得ると共に、制動片46及び係止片47が揺動体３に対し、所定位置に配置されるよう、凸部49が形成されている。
【００４８】
制動片46は、矩形状に形成されており、半径方向へ突出してなる。また、制動片46は、それぞれ互いに所定角度、本図では約９０度離れて設けられている。このように構成された制動片46は、一対の磁石14の間に配置される。また、係止片47は、三角形状に形成されており、半径方向へ突出してなる。
【００４９】
このように構成された制動板15を上本体3Aと下本体3Bとで挟持することにより、係止片47が形成された制動板15を、揺動体３の下端より軸支部30に近い位置に配置する構成とした。また、係止片47は、制動板15が上本体3Aと下本体3Bとで挟持された状態で、揺動体３の半径方向へ突出して形成されている
操作部11は、図4に示すように、ロック部51と、スイッチ部52とを備え、全体として、揺動体３をロックすると同時に電源をオフすると共に、揺動体３のロックを解除すると同時に電源をオンし得るように構成されている。
【００５０】
ロック部51は、係止爪53と、位置決め突起54とを有する。係止爪53は、操作部11を一方向に回動させると、係止片47の底面に当接すると同時に、係止片47の一辺47Aに係合し得るように構成されている（本図（Ａ））。同様に、位置決め突起54は、揺動体３の中心に向かって水平方向に突設されており、操作部11を一方向に回動させると、揺動体３を水平方向に押して揺動体３を所定位置に位置決めし得るように構成されている。
【００５１】
操作部11は、弾性部材55により、一方向へ付勢されており、一方向へ回動させた状態で保持され得る。また、操作部11は、一方向へ回動させた状態において、弾性部材55の付勢力に抗して他方向への回転力を与えることにより、他方向へ回動し得るように構成されている。
【００５２】
（２）動作及び効果
次に上記のように構成されたレーザ墨出し器１の動作及び効果について説明する。尚、説明の便宜上、揺動体３がロックされた状態を初期状態として説明する。すなわち、初期状態とは、操作部11を一方向へ回動することにより、揺動体３がロックされた状態（図４（Ａ））であって、スイッチ部52はオフの状態である。
【００５３】
まず、所定位置に初期状態のレーザ墨出し器１を載置する。次いで、操作部11を操作して電源をオンする。すなわち、ユーザが、操作部11を他方向へ回動することにより、スイッチ部52がオンされる。同時に、ロック部51は、位置決め突起54を戻しながら、係止爪53を係止片47から解除することにより、揺動体３のロックを解除する（図４（Ｂ））。
【００５４】
そうすると、レーザ墨出し器１は、揺動体３が水平部９の軸支部30で中心軸Ｚ上に垂下されるとともに、各レーザ投射器４が点灯することにより当該レーザ投射器４から所定方向にレーザ光を投射し、ユーザが所望の墨出し作業をし得る。尚、レーザ投射器４は、図示しない切替スイッチにより、所望の方向のレーザ光のみを投射させることとしてもよい。
【００５５】
ここで、揺動体３は、制動板15の制動片46が一対の磁石14の間に配置されている。従って、制動片46が移動すると、制動片46に渦電流が発生し、渦電流と磁石14間の磁束とによって、制動片46の移動方向とは逆方向の電磁力が生じる。この電磁力により、レーザ墨出し器１は、軸支部30を回転中心として揺動した揺動体３を短時間で制止することができるので、迅速に作業を開始できる。従って、レーザ墨出し器１は、作業性を向上することができる。
【００５６】
また、本実施形態の場合、制動片46は、２個設けることとしたことにより、レーザ墨出し器１は、２軸（第１水平軸Ｖｘ及び第２水平軸Ｖｙ）で軸支された揺動体３を、より短時間で制止することができる。
【００５７】
磁石14を保持しているヨーク16は、前記磁石14と前記揺動体３とを仕切るように形成された壁部18を有するので、磁石14による磁束が揺動体３に与える影響を抑制することができる。そうすると、レーザ墨出し器１は、レーザ投射器４に設けられている半導体レーザが磁石14に吸着するのを防ぐことができる。従って、レーザ墨出し器１は、揺動体３を自然に鉛直方向に垂下させることができるので、より迅速かつ正確に墨出しを行うことができ、作業性を向上することができる。
【００５８】
また、レーザ墨出し器１は、調節ネジ33がダブルナットで構成されていることにより、任意の位置で確実に固定することができる。したがって、レーザ墨出し器１は、より確実に揺動体３のバランスを保持することができるので、作業性を向上することができる。
【００５９】
尚、基板22は、揺動体３が揺動して通電板37にＯリング36が当接することにより、揺動体３から基板22へ、Ｏリング36を介して電流が流れ、レーザ投射器４を消灯するように構成されている。これにより、レーザ墨出し器１は、揺動体３が揺動可能に鉛直方向に垂下されないために正確な墨出し作業ができない状態であることをユーザに通知する。これにより、ユーザが、脚体10の長さを調節して、正確な墨出し作業を行える状態とすることができるので、レーザ墨出し器１は作業性を向上することができる。
【００６０】
次いで、墨出し作業が終了した場合について説明する。この場合、ユーザが操作部11を他方向へ回動すると、スイッチ部52がオフとなるのでレーザ投射器４が消灯する。同時に、ロック部51は、位置決め突起54が揺動体３を水平方向へ押し出しながら、係止爪53を係止片47に対し係止させ、揺動体３をロックする（図４（Ａ））。
【００６１】
ここで、揺動体３は、上本体3Aと下本体3Bとからなり、当該上本体3Aと下本体3Bとで制動板15を挟持する構成としたことにより、上本体3Aと制動板15と下本体3Bとの間のクリアランスが無いか又はごく僅かであるため、揺動体３をロックしたときに、制動板15が位置ずれを起こすことを抑制することができる。従って、レーザ墨出し器１は、揺動体３のロック及び解除において、制動板15のずれが揺動体３のバランスに与える影響を軽減することができるので、作業性を向上することができる。
【００６２】
また、係止片47が形成された制動板15を、揺動体３の下端より軸支部30に近い位置に配置する構成としたことにより、レーザ墨出し器１は、揺動体３の下端においてロックする従来例に比べ、制動板15がずれた場合の揺動体３のバランスに与える影響を軽減することができる。
【００６３】
さらに、係止片47が形成された制動板15を、揺動体３の下端より軸支部30に近い位置に配置する構成としたことにより、レーザ墨出し器１は、揺動体３の可動範囲を狭くすることができるので、揺動体３をより短時間で制止することができると共に、小型化を実現することができる。
【００６４】
また、係止片47は、揺動体３の直近に配置される構成とした。これにより、レーザ墨出し器１は、揺動体３の直近で係止片47に係止爪53を係止させ、ロックすることができるので、揺動体３から離れた位置でロックする従来例に比べ、ロック時に揺動体3に与える歪みを少なくできる。従って、レーザ墨出し器１は、揺動体３のロック及び解除の際に、制動板15が揺動体３に対して生じるずれを少なくすることができるので、揺動体３のバランスに与える影響をより軽減することができる。
【００６５】
さらに、係止片47は、揺動体３の半径方向へ突出して設けられていることにより、揺動体３の直近に配置される構成とした。これにより、レーザ墨出し器１は、小型化を実現し、その分コストを低減することができる。
【００６６】
また、ロック部51は、操作部11を一方向に回動させると、位置決め突起54が揺動体３を水平方向に押して位置決めすることにより、係止爪53が、係止片47の底面に当接すると同時に、係止片47の一辺47Aに係合し得るように構成されている。これにより、揺動体３をレーザ墨出し器１の中心に近い位置に位置決めしてロックすることができるので、ロック部51は、揺動体３の下端に設けたＯリング36が通電板37に当接しない状態で揺動体３をロックすることができる。従って、レーザ墨出し器１は、当該Ｏリング36の変形を防ぐと共に、当該Ｏリング36と通電板37とが密着するのを防いで、揺動体３のロックを解除した際に、直ちに揺動体３を鉛直方向に垂下させることができるので、作業性を向上することができる。
【００６７】
また、調整ネジ33を軸支部30より下方に配置する構成としたことにより、重量バランスが軸支部30より下方となるので、ロックを解除した際に、揺動体３を同じ位置に戻すことができる。従って、レーザ墨出し器１では、揺動体３のロック及び解除において、揺動体３の位置の再現性を向上することができるので、作業性を向上することができる。
【００６８】
本発明は上記実施形態に限定されるものではなく、本発明の趣旨の範囲内で適宜変更することができる。例えば、上記実施形態において、壁部18は、ヨーク16に一体的に形成した場合について説明したが、本発明はこれに限らず、ヨーク16とは別体の壁部18を、磁石14と揺動体３との間に配置することとしてもよい。
【００６９】
また、上記実施形態において、通電部は導電性材料で形成したＯリングを適用した場合について説明したが、本発明はこれに限らず、導電性材料で形成したフィルムや、テープなどを用いてもよい。
【符号の説明】
【００７０】
１    レーザ墨出し器
２    基台
３    揺動体
４    レーザ投射器
５    ダンパー
14    磁石（磁気発生部）
15    制動板
3A    上本体
3B    下本体
39    当接部
18    壁部
36    Ｏリング（通電部）
22    制御部（基板）
46    制動片
47    係止片
51    ロック部
53    係止爪
54    位置決め突起
【図１】
2010210503.tif 000003
【図２】
2010210503.tif 000004
【図３】
2010210503.tif 000005
【図４】
2010210503.tif 000006
【手続補正書】
【提出日】平成21年6月25日(2009.6.25)
【手続補正１】
【補正対象書類名】特許請求の範囲
【補正対象項目名】全文
【補正方法】変更
【補正の内容】
【特許請求の範囲】
【請求項１】
基台と、
前記基台に揺動可能に垂下された揺動体と、
前記揺動体に設けられたレーザ投射器と、
前記揺動体の揺れを制動するダンパーと
を備えたレーザ墨出し器において、
前記ダンパーは、前記基台に設けられた磁気発生部と、前記磁気発生部に近接して配置された制動板とからなり、
前記揺動体は、上本体と下本体とを有し、前記上本体と前記下本体とは当接部で二分割されてなり、
前記制動板は、前記当接部で挟持され、
前記磁気発生部は、所定の間隔をあけて対向して配置された一対の磁石を有し、
前記磁石は、ヨークに保持されており、
前記ヨークは前記磁石が設けられているヨーク本体と、当該ヨーク本体と一体的に形成された壁部とを有し、
前記ヨーク本体は、上部と下部とを有しコ字状に形成され、
前記上部と前記下部との内側にそれぞれ前記磁石が設けられており、
前記壁部は、前記磁石と前記揺動体とを仕切るように前記上部及び前記下部の一端側の縁を前記ヨーク本体の内側へ曲げ形成してなり、
前記壁部は前記磁石による磁束が揺動体に与える影響を抑制する
ことを特徴とするレーザ墨出し器。
【請求項２】
前記揺動体は、所定の角度以上に傾いた場合、下方に設けた通電部を介して前記基台に電気的に接続し、
前記揺動体と前記基台が電気的に接続された場合、前記レーザ投射器をオフするように構成された制御部を有する
ことを特徴とする請求項１記載のレーザ墨出し器。
【請求項３】
前記制動板は、
前記揺動体から水平方向に突出して前記一対の磁石の間に配置される一又は二以上の制動片と、
前記揺動体から水平方向に突出してなる係止片と
を有し、
前記係止片に対し着脱自在に係合して前記揺動体を固定するロック部を設けた
ことを特徴とする請求項１記載のレーザ墨出し器。
【請求項４】
前記ロック部は、
前記係止片に対し下方から当接する係止爪と、
前記揺動体を水平方向に押し出し前記係止爪に前記係止片を係合させる位置決め突起と
を有し、
前記通電部が前記基台に電気的に接続しない状態で前記揺動体を固定することを特徴とする請求項３記載のレーザ墨出し器。
【請求項５】
前記揺動体は、互いに直交する２軸で揺動自在に設けられ、
前記２軸と平行にそれぞれ前記レーザ投射器を設けた
ことを特徴とする請求項１〜４記載のレーザ墨出し器。
【手続補正２】
【補正対象書類名】明細書
【補正対象項目名】全文
【補正方法】変更
【補正の内容】
【発明の詳細な説明】
【技術分野】
【０００１】
本発明は、レーザ光線によって基準線を投射するレーザ墨出し器に関するものである。
【背景技術】
【０００２】
従来、この種のレーザ墨出し器としては、基台上に立設され水平フレームを有する支持脚、水平フレームに水平回転軸を介して垂直面内において揺動可能に支持された支持アーム、支持アームによって支持されレーザ発光素子および軸線を水平にして配置されたロッドレンズを含むレーザ投射器を有するものが開示されている（例えば、特許文献１）。このレーザ墨出し器は、支持アームのアンバランスの向きが決まっていて、一方向から調整すればよいので、バランス調整を容易にすることができる、という効果を発揮する。また、基台上には、電源スイッチと、操作ノブの操作によって駆動され上記電源スイッチをオン、オフするスイッチ操作部材とが設けられ、電源スイッチをオンすることによって上記係合部から離間して支持アームを非ロックとし、電源スイッチをオフすることによって上記係合部に係合して支持アームをロックするロック部材が、スイッチ操作部材に設けられている。
【先行技術文献】
【特許文献】
【０００３】
【特許文献１】特許第４２１５８７０号公報
【発明の概要】
【発明が解決しようとする課題】
【０００４】
しかしながら、上記特許文献１では、水平フレームから離れた支持アームの下端でロック部材が当該支持アームをロックする構成としていることにより、ロック時に当該支持アームの位置がずれてしまうという懸念があった。支持アームの位置がずれると、支持アームのバランスが変化するので、オンオフを繰り返す度に、バランス調整を行う必要があり、墨出し作業が煩雑になる、という問題がある。
【０００５】
また、ロック部材は、支持アームの下端で係合部に係合して、当該支持アームをロックする構成のため、ロック時に係合した制動板が動いて支持アームのバランスが変化してしまうので、作業性が悪いという問題があった。特に、支持アームの下端で係合する構成は、支持アームのバランスに与える影響が大きいので、その都度、バランスを調節する必要があり、作業性を悪化させる原因ともなっている。
【０００６】
さらに、制動板が、支持アーム下端から下方向に突出しているので、可動範囲を広くする必要があり全体として大型化せざるを得ず、また、地墨光を投射するレーザ投射器を設けることが困難である、という問題がある。
【０００７】
また、制動板で支持アームを予めアンバランスとする構成としており、水平回転軸から大きく離れた位置でロックするため、支持アームに大きな力を加える必要があり、構成部品が移動したり、変形したりしてしまい、バランスを調整するのが困難となるので、作業性が悪いという問題がある。
【０００８】
さらに、支持アームの下方でロックする構成としている一方で、電源は、支持アームの上端に設けられているので、構成部品が大型化し、ひいてはコスト増となってしまうという問題がある。
【０００９】
また、バランス調整手段は、ねじ、ピン、重りなどが例示されているが、いずれも固定する手段が記載されていないため、調整したバランスが簡単にずれてしまうという懸念がある。さらに、硬化材料を使用した場合には、当該硬化材料の添加作業が煩雑であるので、バランスを調整するのが困難であるという問題がある。また、ねじを使用する場合には、工具が別途必要となるので、作業が煩雑となる。
【００１０】
さらに、一般的にレーザ発光素子などの発光部品は磁石に吸着されるが、ヨークが支持アームに対し開口しているので、ヨークに保持された磁石に引き寄せられて支持アームが傾くことによりバランスが崩れやすいので、バランスを調整するのが困難であるという問題がある。
【００１１】
そこで、本発明は、小型化を実現すると共に、バランス調整が容易で、墨出しの作業性を向上することができるレーザ墨出し器を提供することを目的とする。
【課題を解決するための手段】
【００１２】
本発明の請求項１に係る発明は、基台と、前記基台に揺動可能に垂下された揺動体と、前記揺動体に設けられたレーザ投射器と、前記揺動体の揺れを制動するダンパーとを備えたレーザ墨出し器において、前記ダンパーは、前記基台に設けられた磁気発生部と、前記磁気発生部に近接して配置された制動板とからなり、前記揺動体は、上本体と下本体とを有し、前記上本体と前記下本体とは当接部で二分割されてなり、前記制動板は、前記当接部で挟持され、前記磁気発生部は、所定の間隔をあけて対向して配置された一対の磁石を有し、前記磁石は、ヨークに保持されており、前記ヨークは前記磁石が設けられているヨーク本体と、当該ヨーク本体と一体的に形成された壁部とを有し、前記ヨーク本体は、上部と下部とを有しコ字状に形成され、前記上部と前記下部との内側にそれぞれ前記磁石が設けられており、前記壁部は、前記磁石と前記揺動体とを仕切るように前記上部及び下部の一端側の縁を前記ヨーク本体の内側へ曲げ形成してなり、前記壁部は前記磁石による磁束が揺動体に与える影響を抑制することを特徴とする。
【００１３】

【００１４】
本発明の請求項２に係る発明は、前記揺動体は、所定の角度以上に傾いた場合、下方に設けた通電部を介して前記基台に電気的に接続し、前記揺動体と前記基台が電気的に接続された場合、前記レーザ投射器をオフするように構成された制御部を有することを特徴とする。
【００１５】
本発明の請求項３に係る発明は、前記制動板は、前記揺動体から水平方向に突出して前記一対の磁石の間に配置される一又は二以上の制動片と、前記揺動体から水平方向に突出してなる係止片とを有し、前記係止片に対し着脱自在に係合して前記揺動体を固定するロック部を設けたことを特徴とする。
【００１６】
本発明の請求項４に係る発明は、前記ロック部は、前記係止片に対し下方から当接する係止爪と、前記揺動体を水平方向に押し出し前記係止爪に前記係止片を係合させる位置決め突起とを有し、前記通電部が前記基台に電気的に接続しない状態で前記揺動体を固定することを特徴とする。
【００１７】
本発明の請求項５に係る発明は、前記揺動体は、互いに直交する２軸で揺動自在に設け
られ、前記２軸と平行にそれぞれ前記レーザ投射器を設けたことを特徴とする。
【発明の効果】
【００１８】
本発明の請求項１によれば、上本体と下本体とで制動板を挟持する構成としたことにより、揺動体をロックしたときに、制動板が位置ずれを起こすことを抑制することができるので、揺動体のロック及び解除において、制動板のずれが揺動体のバランスに与える影響を軽減することができる。従って、容易にバランス調整を行うことができるので、作業性を向上することができる。また、制動板を揺動体の下端より上方へ配置する構成としたことにより、揺動体の可動範囲を狭くすることができるので、小型化を実現することができる。また、揺動体に設けられたレーザ投射器が磁石に吸着するのを防いで、揺動体を自然に鉛直方向に垂下させることができるので、より正確に墨出しを行うことができる。
【００１９】

【００２０】
本発明の請求項２によれば、揺動体が揺動して基台に通電部が当接すると、レーザ投射器を消灯するように構成したことにより、揺動体が揺動可能に鉛直方向に垂下されないために正確な墨出し作業ができない状態であることをユーザに通知することができる。これにより、ユーザが、正確な墨出し作業を行える状態とすることができるので、レーザ墨出し器は作業性を向上することができる。
【００２１】
本発明の請求項３によれば、不使用状態の時に揺動体をロックすることにより、揺動体のバランスがずれるのを防いで、再度解除したときに直ちに作業を行うことが可能になるので、作業性を向上することができる。
【００２２】
本発明の請求項４によれば、ロック部は、揺動体に設けた通電部が基台に当接しない状態で揺動体をロックする構成としたことにより、揺動体のロックを解除した際に、直ちに揺動体を鉛直方向に垂下させることができるので、作業性を向上することができる。
【００２３】
本発明の請求項５によれば、多軸の墨出し作業を同時に行うことができるので、作業性を向上することができる。
【図面の簡単な説明】
【００２４】
【図１】本発明に係るレーザ墨出し器の全体構成を示す図であり（Ａ）一方向から見た斜視図、（Ｂ）他方向から見た斜視図である。
【図２】本発明に係るレーザ墨出し器の全体構成を示す縦断面図である。
【図３】本発明に係るレーザ墨出し器の制動板の構成を示す平面図である。
【図４】本発明に係るレーザ墨出し器の全体構成を示す部分斜視図であり、（Ａ）ロック状態、（Ｂ）解除状態を示す図である。
【発明を実施するための形態】
【００２５】
以下、図面を参照して本発明の実施形態について詳細に説明する。
（１）全体構成
図1に示すレーザ墨出し器１は、基台２と、当該基台２に垂下された揺動体３と、当該揺動体３に設けられたレーザ投射器４と、前記揺動体３の揺れを制動するダンパー５とを備える。このように構成されたレーザ墨出し器１は、揺動体３が鉛直方向に傾きのない状態で保持されることにより、レーザ投射器４から所定方向へ正確にレーザ光線によって基準線を投射し得るように構成されている。
【００２６】
基台２は、脚部６と、当該脚部６に対し、鉛直方向に延びる中心軸Ｚを中心として回転自在に保持された基部７と、当該基部７に立設された枠体８と、当該枠体８の上部に設けられた水平部９とを有する。
【００２７】
脚部６は、三本の脚体10からなる三脚を有し、各脚体10は、長さをそれぞれ調節しうるように構成されている。基部７には、複数（本図では、２個）のダンパー５と、操作部11と、電源としての乾電池（図示しない）を保持するホルダー12とが設けられている。また、基部７は、調整ネジ13により、脚部６に対し、回転角度を微調整し得るように構成されている。
【００２８】
ダンパー５は、それぞれ同様に構成されているので、簡単のため、図中の5Aについて説明する。ダンパー５は、ヨーク16に保持された磁気発生部としての一対の磁石14と、当該一対の磁石14の間に制動片46を配置する制動板15とからなり、磁石14間に生じる磁束内を制動板15が移動した場合に、制動片46に渦電流を生じさせ、磁束と渦電流とにより制動板15の移動方向と逆方向の電磁力を生じさせ得るように構成されている。
【００２９】
ヨーク16は、コ字状に形成されたヨーク本体17と、当該ヨーク本体17と一体的に形成された壁部18とを有する。ヨーク本体17は、上部17Aと下部17Bの内側にそれぞれ磁石14が設けられている。また、壁部18は、前記磁石14と前記揺動体３とを仕切るように形成されている。
【００３０】
本実施形態の場合、壁部18は、上部17A及び下部17Bの一端側の縁をヨーク本体17の内側へ垂直に曲げ形成してなる。上記一対の磁石14は、ヨーク本体17の上部17Aと下部17Bにそれぞれ保持され、所定の間隔をあけて向かい合わせに設けられている。このように構成されたヨーク16は、下部17Bにおいて、基部７にボルトＢで固定されている。
【００３１】
枠体８は、一端が基部７に固定された複数（本図では、３本）の柱部21で構成される。当該柱部21の他端には、水平部９がボルトＢで固定されている。水平部９には、互いに直交する２軸（第１水平軸Ｖｘ、第２水平軸Ｖｙ）で、揺動体３を軸支している。尚、第１水平軸Ｖｘ及び第２水平軸Ｖｙの交点には、基部７の回転中心を通り鉛直方向に平行な中心軸Ｚが交差している。
【００３２】
また、水平部９の上端には、基板22が設けられている。当該基板22は、上記操作部11及びホルダー12に電気的に接続されている。さらに、基板22は、レーザ投射器４及び図示しない切替スイッチに電気的に接続されており、切替スイッチで選択的に所望のレーザ投射器４を点灯し得るように構成されている。
【００３３】
揺動体３は、図2に示すように、上本体3Aと下本体3Bとからなり、レーザ投射器４として、水平方向用レーザ投射部4H、鉛直方向用レーザ投射部4Vx、直角方向用レーザ投射部4Vy、及び、地墨用レーザ投射部4Zがそれぞれ設けられており、軸支部30において、水平部９に軸支されている。軸支部30は、ジンバル機構からなり、第１軸支部30xと、第２軸支部30yとを有する。
【００３４】
尚、水平方向用レーザ投射部4H、鉛直方向用レーザ投射部4Vx、及び直角方向用レーザ投射部4Vyは、図示しないが、半導体レーザと、当該半導体レーザから照射された拡散光を平行光束とするコリメータレンズと、当該平行光束を透過させるロッドレンズとを有する。これにより、一方向にのみ拡散させたレーザ光による基準線として、鉛直方向及び直角方向の垂直線、及び水平方向の平行線を投射し得るように構成されている。
【００３５】
また、地墨用レーザ投射部4Zは、半導体レーザから照射された拡散光をスポット光に変換する光学系（図示しない）が設けられていることにより、地墨用レーザ光を中心軸Ｚの下方向へ投射し得るように構成されている。
【００３６】
揺動体３は、上本体3Aの上部を囲むようにリング体31が配置されており、当該リング体31と水平部９とが第１軸支部30xで軸支されている。また、当該リング体31と揺動体３の上部とが第２軸支部30yで軸支されている。これにより、揺動体３は、第１水平軸Ｖｘ、及び第２水平軸Ｖｙを中心として揺動し得る。
【００３７】
揺動体３の上端には、鉛直方向用レーザ投射部4Vx、及び、直角方向用レーザ投射部4Vyが設けられている。鉛直方向用レーザ投射部4Vx、及び、直角方向用レーザ投射部4Vyは、発光面が水平方向に互いに直交する第１水平軸Ｖｘ方向、及び第２水平軸Ｖｙ方向に平行な向きにそれぞれ指向した状態で固定されている。
【００３８】
本実施形態の場合、鉛直方向用レーザ投射部4Vx、及び、直角方向用レーザ投射部4Vyは、揺動体３の上端に設けられたステイ32に固定され、水平方向より上方へおよそ３０度傾いた方向へ発光面を保持し得るように設けられている。
【００３９】
また、揺動体３は、軸支部30の下方に、水平方向用レーザ投射部4H、調節ネジ、地墨用レーザ投射部4Zがそれぞれ設けられている。
【００４０】
水平方向用レーザ投射部4Hは、上本体3aの中央部分であって、水平方向にレーザ光を投射し得るように、発光面が水平方向に指向した状態で固定されている。
【００４１】
調節ネジ33は、揺動体３から水平方向に突設された雄ネジ34と、当該雄ネジ34に螺合されたバランス用ナット35Aと固定用ナット35Bとからなるダブルナットで構成されている。この調整ネジ33は、雄ネジ34に対し、バランス用ナット35Aの位置を調節することにより、揺動体３のバランスを調節し、固定用ナット35Bを当該バランス用ナット35Aに当接させることで、調節位置を保持するように構成されている。尚、バランス用ナット35Aと固定用ナット35Bは、表面がローレット処理されており、工具を使わずに締め付けたり緩めたりすることができるように構成されている。
【００４２】
地墨用レーザ投射部4Zは、揺動体３の中心軸Ｚ上に設けられており、鉛直下方にレーザ光を投射し得るように、発光面が中心軸Ｚの下方向に指向した状態で固定されている。
【００４３】
揺動体３の下本体3Bには、通電部としての導電性材料で形成したＯリング36が装填されている。このＯリング36は、レーザ墨出し器１が所定角度以上に傾くと、揺動体３が揺動して、基部７に設けられた通電板37に当接することにより、揺動体３と基部７とを電気的に接続し得るように構成されている。
【００４４】
基部７は、図示しないラグ板を介して基板22電気的に接続されている。尚、枠体８と水平部９とは、プラスチック部材23A,23Bで絶縁されている。また、揺動体３は、電源と電気的に接続されている。そして、制御部としての基板22には、図示しない電気回路が形成されており、揺動体３が揺動して通電板37にＯリング36が当接することにより、揺動体３から基板22へＯリング36を介して電流が流れると、レーザ投射器４を消灯し得るように構成されている。
【００４５】
また、揺動体３の下端には、前記地墨用レーザ投射部4Zから投射される地墨レーザ光を通過させる貫通穴38が、揺動体３の中心軸Ｚ上に設けられている。
【００４６】
揺動体３の前記上本体3Aと前記下本体3Bとは、当接部39で上下に二分割されており、ボルトＢによって一体化されている。当該当接部39には、前記制動板15が配置され、当該制動板15は上本体3Aと下本体3Bとで挟持されている。
【００４７】
制動板15は、図3に示すように、導体、例えば銅で形成された板状の部材からなり、挿通穴45と、複数（本図では２個）の制動片46、及び、係止片47とを有する。挿通穴45は、上本体3Aの下端に形成された挿通部48に挿通し得ると共に、制動片46及び係止片47が揺動体３に対し、所定位置に配置されるよう、凸部49が形成されている。
【００４８】
制動片46は、矩形状に形成されており、半径方向へ突出してなる。また、制動片46は、それぞれ互いに所定角度、本図では約９０度離れて設けられている。このように構成された制動片46は、一対の磁石14の間に配置される。また、係止片47は、三角形状に形成されており、半径方向へ突出してなる。
【００４９】
このように構成された制動板15を上本体3Aと下本体3Bとで挟持することにより、係止片47が形成された制動板15を、揺動体３の下端より軸支部30に近い位置に配置する構成とした。また、係止片47は、制動板15が上本体3Aと下本体3Bとで挟持された状態で、揺動体３の半径方向へ突出して形成されている。
操作部11は、図4に示すように、ロック部51と、スイッチ部52とを備え、全体として、揺動体３をロックすると同時に電源をオフすると共に、揺動体３のロックを解除すると同時に電源をオンし得るように構成されている。
【００５０】
ロック部51は、係止爪53と、位置決め突起54とを有する。係止爪53は、操作部11を一方向に回動させると、係止片47の底面に当接すると同時に、係止片47の一辺47Aに係合し得るように構成されている（本図（Ａ））。同様に、位置決め突起54は、揺動体３の中心に向かって水平方向に突設されており、操作部11を一方向に回動させると、揺動体３を水平方向に押して揺動体３を所定位置に位置決めし得るように構成されている。
【００５１】
操作部11は、弾性部材55により、一方向へ付勢されており、一方向へ回動させた状態で保持され得る。また、操作部11は、一方向へ回動させた状態において、弾性部材55の付勢力に抗して他方向への回転力を与えることにより、他方向へ回動し得るように構成されている。
【００５２】
（２）動作及び効果
次に上記のように構成されたレーザ墨出し器１の動作及び効果について説明する。尚、説明の便宜上、揺動体３がロックされた状態を初期状態として説明する。すなわち、初期状態とは、操作部11を一方向へ回動することにより、揺動体３がロックされた状態（図４（Ａ））であって、スイッチ部52はオフの状態である。
【００５３】
まず、所定位置に初期状態のレーザ墨出し器１を載置する。次いで、操作部11を操作して電源をオンする。すなわち、ユーザが、操作部11を他方向へ回動することにより、スイッチ部52がオンされる。同時に、ロック部51は、位置決め突起54を戻しながら、係止爪53を係止片47から解除することにより、揺動体３のロックを解除する（図４（Ｂ））。
【００５４】
そうすると、レーザ墨出し器１は、揺動体３が水平部９の軸支部30で中心軸Ｚ上に垂下されるとともに、各レーザ投射器４が点灯することにより当該レーザ投射器４から所定方向にレーザ光を投射し、ユーザが所望の墨出し作業をし得る。尚、レーザ投射器４は、図示しない切替スイッチにより、所望の方向のレーザ光のみを投射させることとしてもよい。
【００５５】
ここで、揺動体３は、制動板15の制動片46が一対の磁石14の間に配置されている。従って、制動片46が移動すると、制動片46に渦電流が発生し、渦電流と磁石14間の磁束とによって、制動片46の移動方向とは逆方向の電磁力が生じる。この電磁力により、レーザ墨出し器１は、軸支部30を回転中心として揺動した揺動体３を短時間で制止することができるので、迅速に作業を開始できる。従って、レーザ墨出し器１は、作業性を向上することができる。
【００５６】
また、本実施形態の場合、制動片46は、２個設けることとしたことにより、レーザ墨出し器１は、２軸（第１水平軸Ｖｘ及び第２水平軸Ｖｙ）で軸支された揺動体３を、より短時間で制止することができる。
【００５７】
磁石14を保持しているヨーク16は、前記磁石14と前記揺動体３とを仕切るように形成された壁部18を有するので、磁石14による磁束が揺動体３に与える影響を抑制することができる。そうすると、レーザ墨出し器１は、レーザ投射器４に設けられている半導体レーザが磁石14に吸着するのを防ぐことができる。従って、レーザ墨出し器１は、揺動体３を自然に鉛直方向に垂下させることができるので、より迅速かつ正確に墨出しを行うことができ、作業性を向上することができる。
【００５８】
また、レーザ墨出し器１は、調節ネジ33がダブルナットで構成されていることにより、任意の位置で確実に固定することができる。したがって、レーザ墨出し器１は、より確実に揺動体３のバランスを保持することができるので、作業性を向上することができる。
【００５９】
尚、基板22は、揺動体３が揺動して通電板37にＯリング36が当接することにより、揺動体３から基板22へ、Ｏリング36を介して電流が流れ、レーザ投射器４を消灯するように構成されている。これにより、レーザ墨出し器１は、揺動体３が揺動可能に鉛直方向に垂下されないために正確な墨出し作業ができない状態であることをユーザに通知する。これにより、ユーザが、脚体10の長さを調節して、正確な墨出し作業を行える状態とすることができるので、レーザ墨出し器１は作業性を向上することができる。
【００６０】
次いで、墨出し作業が終了した場合について説明する。この場合、ユーザが操作部11を他方向へ回動すると、スイッチ部52がオフとなるのでレーザ投射器４が消灯する。同時に、ロック部51は、位置決め突起54が揺動体３を水平方向へ押し出しながら、係止爪53を係止片47に対し係止させ、揺動体３をロックする（図４（Ａ））。
【００６１】
ここで、揺動体３は、上本体3Aと下本体3Bとからなり、当該上本体3Aと下本体3Bとで制動板15を挟持する構成としたことにより、上本体3Aと制動板15と下本体3Bとの間のクリアランスが無いか又はごく僅かであるため、揺動体３をロックしたときに、制動板15が位置ずれを起こすことを抑制することができる。従って、レーザ墨出し器１は、揺動体３のロック及び解除において、制動板15のずれが揺動体３のバランスに与える影響を軽減することができるので、作業性を向上することができる。
【００６２】
また、係止片47が形成された制動板15を、揺動体３の下端より軸支部30に近い位置に配置する構成としたことにより、レーザ墨出し器１は、揺動体３の下端においてロックする従来例に比べ、制動板15がずれた場合の揺動体３のバランスに与える影響を軽減することができる。
【００６３】
さらに、係止片47が形成された制動板15を、揺動体３の下端より軸支部30に近い位置に配置する構成としたことにより、レーザ墨出し器１は、揺動体３の可動範囲を狭くすることができるので、揺動体３をより短時間で制止することができると共に、小型化を実現することができる。
【００６４】
また、係止片47は、揺動体３の直近に配置される構成とした。これにより、レーザ墨出し器１は、揺動体３の直近で係止片47に係止爪53を係止させ、ロックすることができるので、揺動体３から離れた位置でロックする従来例に比べ、ロック時に揺動体3に与える歪みを少なくできる。従って、レーザ墨出し器１は、揺動体３のロック及び解除の際に、制動板15が揺動体３に対して生じるずれを少なくすることができるので、揺動体３のバランスに与える影響をより軽減することができる。
【００６５】
さらに、係止片47は、揺動体３の半径方向へ突出して設けられていることにより、揺動体３の直近に配置される構成とした。これにより、レーザ墨出し器１は、小型化を実現し、その分コストを低減することができる。
【００６６】
また、ロック部51は、操作部11を一方向に回動させると、位置決め突起54が揺動体３を水平方向に押して位置決めすることにより、係止爪53が、係止片47の底面に当接すると同時に、係止片47の一辺47Aに係合し得るように構成されている。これにより、揺動体３をレーザ墨出し器１の中心に近い位置に位置決めしてロックすることができるので、ロック部51は、揺動体３の下端に設けたＯリング36が通電板37に当接しない状態で揺動体３をロックすることができる。従って、レーザ墨出し器１は、当該Ｏリング36の変形を防ぐと共に、当該Ｏリング36と通電板37とが密着するのを防いで、揺動体３のロックを解除した際に、直ちに揺動体３を鉛直方向に垂下させることができるので、作業性を向上することができる。
【００６７】
また、調整ネジ33を軸支部30より下方に配置する構成としたことにより、重量バランスが軸支部30より下方となるので、ロックを解除した際に、揺動体３を同じ位置に戻すことができる。従って、レーザ墨出し器１では、揺動体３のロック及び解除において、揺動体３の位置の再現性を向上することができるので、作業性を向上することができる。
【００６８】
本発明は上記実施形態に限定されるものではなく、本発明の趣旨の範囲内で適宜変更することができる。例えば、上記実施形態において、壁部18は、ヨーク16に一体的に形成した場合について説明したが、本発明はこれに限らず、ヨーク16とは別体の壁部18を、磁石14と揺動体３との間に配置することとしてもよい。
【００６９】
また、上記実施形態において、通電部は導電性材料で形成したＯリングを適用した場合について説明したが、本発明はこれに限らず、導電性材料で形成したフィルムや、テープなどを用いてもよい。
【符号の説明】
【００７０】
１    レーザ墨出し器
２    基台
３    揺動体
3A    上本体
3B    下本体
４    レーザ投射器
５    ダンパー
14    磁石（磁気発生部）
15    制動板
16    ヨーク
17    ヨーク本体
17A    上部
17B    下部
18    壁部
22    制御部（基板）
36    Ｏリング（通電部）
39    当接部
46    制動片
47    係止片
51    ロック部
53    係止爪
54    位置決め突起
【手続補正書】
【提出日】平成21年7月27日(2009.7.27)
【手続補正１】
【補正対象書類名】特許請求の範囲
【補正対象項目名】全文
【補正方法】変更
【補正の内容】
【特許請求の範囲】
【請求項１】
基台と、
前記基台に揺動可能に垂下された揺動体と、
前記揺動体に設けられたレーザ投射器と、
前記揺動体の揺れを制動するダンパーと
を備えたレーザ墨出し器において、
前記ダンパーは、前記基台に設けられた磁気発生部と、前記磁気発生部に近接して配置された制動板とからなり、
前記揺動体は、上本体と下本体とを有し、前記上本体と前記下本体とは当接部で二分割されてなり、
前記制動板は、前記当接部で挟持され、
前記磁気発生部は、所定の間隔をあけて対向して配置された一対の磁石を有し、
前記磁石は、ヨークに保持されており、
前記ヨークは前記磁石が設けられているヨーク本体と、当該ヨーク本体と一体に形成された壁部とを有し、
前記ヨーク本体は、上部と下部とを有しコ字状に形成され、
前記上部と前記下部の内側にそれぞれ前記磁石が設けられており、
前記壁部は、前記磁石と前記揺動体とを仕切るように前記上部及び下部の一端側の縁を前記ヨーク本体の内側へ曲げ形成してなり、
前記壁部は前記磁石による磁束が揺動体に与える影響を抑制する
ことを特徴とするレーザ墨出し器。
【請求項２】
前記揺動体は、所定の角度以上に傾いた場合、下方に設けた通電部を介して前記基台に電気的に接続し、
前記揺動体と前記基台が電気的に接続された場合、前記レーザ投射器をオフするように構成された制御部を有する
ことを特徴とする請求項１記載のレーザ墨出し器。
【請求項３】
前記制動板は、
前記揺動体から水平方向に突出して前記一対の磁石の間に配置される一又は二以上の制動片と、
前記揺動体から水平方向に突出してなる係止片と
を有し、
前記係止片に対し着脱自在に係合して前記揺動体を固定するロック部を設けた
ことを特徴とする請求項１記載のレーザ墨出し器。
【請求項４】
前記揺動体は、所定の角度以上に傾いた場合、下方に設けた通電部を介して前記基台に電気的に接続し、
前記揺動体と前記基台が電気的に接続された場合、前記レーザ投射器をオフするように構成された制御部を有し、
前記ロック部は、
前記係止片に対し下方から当接する係止爪と、
前記揺動体を水平方向に押し出し前記係止爪に前記係止片を係合させる位置決め突起と
を有し、
前記通電部が前記基台に電気的に接続しない状態で前記揺動体を固定することを特徴とする請求項３記載のレーザ墨出し器。
【請求項５】
前記揺動体は、互いに直交する２軸で揺動自在に設けられ、
前記２軸と平行にそれぞれ前記レーザ投射器を設けた
ことを特徴とする請求項１〜４記載のレーザ墨出し器。
【手続補正２】
【補正対象書類名】明細書
【補正対象項目名】全文
【補正方法】変更
【補正の内容】
【発明の詳細な説明】
【技術分野】
【０００１】
本発明は、レーザ光線によって基準線を投射するレーザ墨出し器に関するものである。
【背景技術】
【０００２】
従来、この種のレーザ墨出し器としては、基台上に立設され水平フレームを有する支持脚、水平フレームに水平回転軸を介して垂直面内において揺動可能に支持された支持アーム、支持アームによって支持されレーザ発光素子および軸線を水平にして配置されたロッドレンズを含むレーザ投射器を有するものが開示されている（例えば、特許文献１）。このレーザ墨出し器は、支持アームのアンバランスの向きが決まっていて、一方向から調整すればよいので、バランス調整を容易にすることができる、という効果を発揮する。また、基台上には、電源スイッチと、操作ノブの操作によって駆動され上記電源スイッチをオン、オフするスイッチ操作部材とが設けられ、電源スイッチをオンすることによって上記係合部から離間して支持アームを非ロックとし、電源スイッチをオフすることによって上記係合部に係合して支持アームをロックするロック部材が、スイッチ操作部材に設けられている。
【先行技術文献】
【特許文献】
【０００３】
【特許文献１】特許第４２１５８７０号公報
【発明の概要】
【発明が解決しようとする課題】
【０００４】
しかしながら、上記特許文献１では、水平フレームから離れた支持アームの下端でロック部材が当該支持アームをロックする構成としていることにより、ロック時に当該支持アームの位置がずれてしまうという懸念があった。支持アームの位置がずれると、支持アームのバランスが変化するので、オンオフを繰り返す度に、バランス調整を行う必要があり、墨出し作業が煩雑になる、という問題がある。
【０００５】
また、ロック部材は、支持アームの下端で係合部に係合して、当該支持アームをロックする構成のため、ロック時に係合した制動板が動いて支持アームのバランスが変化してしまうので、作業性が悪いという問題があった。特に、支持アームの下端で係合する構成は、支持アームのバランスに与える影響が大きいので、その都度、バランスを調節する必要があり、作業性を悪化させる原因ともなっている。
【０００６】
さらに、制動板が、支持アーム下端から下方向に突出しているので、可動範囲を広くする必要があり全体として大型化せざるを得ず、また、地墨光を投射するレーザ投射器を設けることが困難である、という問題がある。
【０００７】
また、制動板で支持アームを予めアンバランスとする構成としており、水平回転軸から大きく離れた位置でロックするため、支持アームに大きな力を加える必要があり、構成部品が移動したり、変形したりしてしまい、バランスを調整するのが困難となるので、作業性が悪いという問題がある。
【０００８】
さらに、支持アームの下方でロックする構成としている一方で、電源は、支持アームの上端に設けられているので、構成部品が大型化し、ひいてはコスト増となってしまうという問題がある。
【０００９】
また、バランス調整手段は、ねじ、ピン、重りなどが例示されているが、いずれも固定する手段が記載されていないため、調整したバランスが簡単にずれてしまうという懸念がある。さらに、硬化材料を使用した場合には、当該硬化材料の添加作業が煩雑であるので、バランスを調整するのが困難であるという問題がある。また、ねじを使用する場合には、工具が別途必要となるので、作業が煩雑となる。
【００１０】
さらに、一般的にレーザ発光素子などの発光部品は磁石に吸着されるが、ヨークが支持アームに対し開口しているので、ヨークに保持された磁石に引き寄せられて支持アームが傾くことによりバランスが崩れやすいので、バランスを調整するのが困難であるという問題がある。
【００１１】
そこで、本発明は、小型化を実現すると共に、バランス調整が容易で、墨出しの作業性を向上することができるレーザ墨出し器を提供することを目的とする。
【課題を解決するための手段】
【００１２】
本発明の請求項１に係る発明は、基台と、前記基台に揺動可能に垂下された揺動体と、前記揺動体に設けられたレーザ投射器と、前記揺動体の揺れを制動するダンパーとを備えたレーザ墨出し器において、前記ダンパーは、前記基台に設けられた磁気発生部と、前記磁気発生部に近接して配置された制動板とからなり、前記揺動体は、上本体と下本体とを有し、前記上本体と前記下本体とは当接部で二分割されてなり、前記制動板は、前記当接部で挟持され、前記磁気発生部は、所定の間隔をあけて対向して配置された一対の磁石を有し、前記磁石は、ヨークに保持されており、前記ヨークは前記磁石が設けられているヨーク本体と、当該ヨーク本体と一体に形成された壁部とを有し、前記ヨーク本体は、上部と下部とを有しコ字状に形成され、前記上部と前記下部の内側にそれぞれ前記磁石が設けられており、前記壁部は、前記磁石と前記揺動体とを仕切るように前記上部及び下部の一端側の縁を前記ヨーク本体の内側へ曲げ形成してなり、前記壁部は前記磁石による磁束が揺動体に与える影響を抑制することを特徴とする。
【００１３】
【００１４】
本発明の請求項２に係る発明は、前記揺動体は、所定の角度以上に傾いた場合、下方に設けた通電部を介して前記基台に電気的に接続し、前記揺動体と前記基台が電気的に接続された場合、前記レーザ投射器をオフするように構成された制御部を有することを特徴とする。
【００１５】
本発明の請求項３に係る発明は、前記制動板は、前記揺動体から水平方向に突出して前記一対の磁石の間に配置される一又は二以上の制動片と、前記揺動体から水平方向に突出してなる係止片とを有し、前記係止片に対し着脱自在に係合して前記揺動体を固定するロック部を設けたことを特徴とする。
【００１６】
本発明の請求項４に係る発明は、前記揺動体は、所定の角度以上に傾いた場合、下方に設けた通電部を介して前記基台に電気的に接続し、前記揺動体と前記基台が電気的に接続された場合、前記レーザ投射器をオフするように構成された制御部を有し、前記ロック部は、前記係止片に対し下方から当接する係止爪と、前記揺動体を水平方向に押し出し前記係止爪に前記係止片を係合させる位置決め突起とを有し、前記通電部が前記基台に電気的に接続しない状態で前記揺動体を固定することを特徴とする。
【００１７】
本発明の請求項５に係る発明は、前記揺動体は、互いに直交する２軸で揺動自在に設け
られ、前記２軸と平行にそれぞれ前記レーザ投射器を設けたことを特徴とする。
【発明の効果】
【００１８】
本発明の請求項１によれば、上本体と下本体とで制動板を挟持する構成としたことにより、揺動体をロックしたときに、制動板が位置ずれを起こすことを抑制することができるので、揺動体のロック及び解除において、制動板のずれが揺動体のバランスに与える影響を軽減することができる。従って、容易にバランス調整を行うことができるので、作業性を向上することができる。また、制動板を揺動体の下端より上方へ配置する構成としたことにより、揺動体の可動範囲を狭くすることができるので、小型化を実現することができる。また、揺動体に設けられたレーザ投射器が磁石に吸着するのを防いで、揺動体を自然に鉛直方向に垂下させることができるので、より正確に墨出しを行うことができる。
【００１９】
【００２０】
本発明の請求項２によれば、揺動体が揺動して基台に通電部が当接すると、レーザ投射器を消灯するように構成したことにより、揺動体が揺動可能に鉛直方向に垂下されないために正確な墨出し作業ができない状態であることをユーザに通知することができる。これにより、ユーザが、正確な墨出し作業を行える状態とすることができるので、レーザ墨出し器は作業性を向上することができる。
【００２１】
本発明の請求項３によれば、不使用状態の時に揺動体をロックすることにより、揺動体のバランスがずれるのを防いで、再度解除したときに直ちに作業を行うことが可能になるので、作業性を向上することができる。
【００２２】
本発明の請求項４によれば、ロック部は、揺動体に設けた通電部が基台に当接しない状態で揺動体をロックする構成としたことにより、揺動体のロックを解除した際に、直ちに揺動体を鉛直方向に垂下させることができるので、作業性を向上することができる。
【００２３】
本発明の請求項５によれば、多軸の墨出し作業を同時に行うことができるので、作業性を向上することができる。
【図面の簡単な説明】
【００２４】
【図１】本発明に係るレーザ墨出し器の全体構成を示す図であり（Ａ）一方向から見た斜視図、（Ｂ）他方向から見た斜視図である。
【図２】本発明に係るレーザ墨出し器の全体構成を示す縦断面図である。
【図３】本発明に係るレーザ墨出し器の制動板の構成を示す平面図である。
【図４】本発明に係るレーザ墨出し器の全体構成を示す部分斜視図であり、（Ａ）ロック状態、（Ｂ）解除状態を示す図である。
【発明を実施するための形態】
【００２５】
以下、図面を参照して本発明の実施形態について詳細に説明する。
（１）全体構成
図1に示すレーザ墨出し器１は、基台２と、当該基台２に垂下された揺動体３と、当該揺動体３に設けられたレーザ投射器４と、前記揺動体３の揺れを制動するダンパー５とを備える。このように構成されたレーザ墨出し器１は、揺動体３が鉛直方向に傾きのない状態で保持されることにより、レーザ投射器４から所定方向へ正確にレーザ光線によって基準線を投射し得るように構成されている。
【００２６】
基台２は、脚部６と、当該脚部６に対し、鉛直方向に延びる中心軸Ｚを中心として回転自在に保持された基部７と、当該基部７に立設された枠体８と、当該枠体８の上部に設けられた水平部９とを有する。
【００２７】
脚部６は、三本の脚体10からなる三脚を有し、各脚体10は、長さをそれぞれ調節しうるように構成されている。基部７には、複数（本図では、２個）のダンパー５と、操作部11と、電源としての乾電池（図示しない）を保持するホルダー12とが設けられている。また、基部７は、調整ネジ13により、脚部６に対し、回転角度を微調整し得るように構成されている。
【００２８】
ダンパー５は、それぞれ同様に構成されているので、簡単のため、図中の5Aについて説明する。ダンパー５は、ヨーク16に保持された磁気発生部としての一対の磁石14と、当該一対の磁石14の間に制動片46を配置する制動板15とからなり、磁石14間に生じる磁束内を制動板15が移動した場合に、制動片46に渦電流を生じさせ、磁束と渦電流とにより制動板15の移動方向と逆方向の電磁力を生じさせ得るように構成されている。
【００２９】
ヨーク16は、コ字状に形成されたヨーク本体17と、当該ヨーク本体17と一体的に形成された壁部18とを有する。ヨーク本体17は、上部17Aと下部17Bの内側にそれぞれ磁石14が設けられている。また、壁部18は、前記磁石14と前記揺動体３とを仕切るように形成されている。
【００３０】
本実施形態の場合、壁部18は、上部17A及び下部17Bの一端側の縁をヨーク本体17の内側へ垂直に曲げ形成してなる。上記一対の磁石14は、ヨーク本体17の上部17Aと下部17Bにそれぞれ保持され、所定の間隔をあけて向かい合わせに設けられている。このように構成されたヨーク16は、下部17Bにおいて、基部７にボルトＢで固定されている。
【００３１】
枠体８は、一端が基部７に固定された複数（本図では、３本）の柱部21で構成される。当該柱部21の他端には、水平部９がボルトＢで固定されている。水平部９には、互いに直交する２軸（第１水平軸Ｖｘ、第２水平軸Ｖｙ）で、揺動体３を軸支している。尚、第１水平軸Ｖｘ及び第２水平軸Ｖｙの交点には、基部７の回転中心を通り鉛直方向に平行な中心軸Ｚが交差している。
【００３２】
また、水平部９の上端には、基板22が設けられている。当該基板22は、上記操作部11及びホルダー12に電気的に接続されている。さらに、基板22は、レーザ投射器４及び図示しない切替スイッチに電気的に接続されており、切替スイッチで選択的に所望のレーザ投射器４を点灯し得るように構成されている。
【００３３】
揺動体３は、図2に示すように、上本体3Aと下本体3Bとからなり、レーザ投射器４として、水平方向用レーザ投射部4H、鉛直方向用レーザ投射部4Vx、直角方向用レーザ投射部4Vy、及び、地墨用レーザ投射部4Zがそれぞれ設けられており、軸支部30において、水平部９に軸支されている。軸支部30は、ジンバル機構からなり、第１軸支部30xと、第２軸支部30yとを有する。
【００３４】
尚、水平方向用レーザ投射部4H、鉛直方向用レーザ投射部4Vx、及び直角方向用レーザ投射部4Vyは、図示しないが、半導体レーザと、当該半導体レーザから照射された拡散光を平行光束とするコリメータレンズと、当該平行光束を透過させるロッドレンズとを有する。これにより、一方向にのみ拡散させたレーザ光による基準線として、鉛直方向及び直角方向の垂直線、及び水平方向の平行線を投射し得るように構成されている。
【００３５】
また、地墨用レーザ投射部4Zは、半導体レーザから照射された拡散光をスポット光に変換する光学系（図示しない）が設けられていることにより、地墨用レーザ光を中心軸Ｚの下方向へ投射し得るように構成されている。
【００３６】
揺動体３は、上本体3Aの上部を囲むようにリング体31が配置されており、当該リング体31と水平部９とが第１軸支部30xで軸支されている。また、当該リング体31と揺動体３の上部とが第２軸支部30yで軸支されている。これにより、揺動体３は、第１水平軸Ｖｘ、及び第２水平軸Ｖｙを中心として揺動し得る。
【００３７】
揺動体３の上端には、鉛直方向用レーザ投射部4Vx、及び、直角方向用レーザ投射部4Vyが設けられている。鉛直方向用レーザ投射部4Vx、及び、直角方向用レーザ投射部4Vyは、発光面が水平方向に互いに直交する第１水平軸Ｖｘ方向、及び第２水平軸Ｖｙ方向に平行な向きにそれぞれ指向した状態で固定されている。
【００３８】
本実施形態の場合、鉛直方向用レーザ投射部4Vx、及び、直角方向用レーザ投射部4Vyは、揺動体３の上端に設けられたステイ32に固定され、水平方向より上方へおよそ３０度傾いた方向へ発光面を保持し得るように設けられている。
【００３９】
また、揺動体３は、軸支部30の下方に、水平方向用レーザ投射部4H、調節ネジ、地墨用レーザ投射部4Zがそれぞれ設けられている。
【００４０】
水平方向用レーザ投射部4Hは、上本体3aの中央部分であって、水平方向にレーザ光を投射し得るように、発光面が水平方向に指向した状態で固定されている。
【００４１】
調節ネジ33は、揺動体３から水平方向に突設された雄ネジ34と、当該雄ネジ34に螺合されたバランス用ナット35Aと固定用ナット35Bとからなるダブルナットで構成されている。この調整ネジ33は、雄ネジ34に対し、バランス用ナット35Aの位置を調節することにより、揺動体３のバランスを調節し、固定用ナット35Bを当該バランス用ナット35Aに当接させることで、調節位置を保持するように構成されている。尚、バランス用ナット35Aと固定用ナット35Bは、表面がローレット処理されており、工具を使わずに締め付けたり緩めたりすることができるように構成されている。
【００４２】
地墨用レーザ投射部4Zは、揺動体３の中心軸Ｚ上に設けられており、鉛直下方にレーザ光を投射し得るように、発光面が中心軸Ｚの下方向に指向した状態で固定されている。
【００４３】
揺動体３の下本体3Bには、通電部としての導電性材料で形成したＯリング36が装填されている。このＯリング36は、レーザ墨出し器１が所定角度以上に傾くと、揺動体３が揺動して、基部７に設けられた通電板37に当接することにより、揺動体３と基部７とを電気的に接続し得るように構成されている。
【００４４】
基部７は、図示しないラグ板を介して基板22電気的に接続されている。尚、枠体８と水平部９とは、プラスチック部材23A,23Bで絶縁されている。また、揺動体３は、電源と電気的に接続されている。そして、制御部としての基板22には、図示しない電気回路が形成されており、揺動体３が揺動して通電板37にＯリング36が当接することにより、揺動体３から基板22へＯリング36を介して電流が流れると、レーザ投射器４を消灯し得るように構成されている。
【００４５】
また、揺動体３の下端には、前記地墨用レーザ投射部4Zから投射される地墨レーザ光を通過させる貫通穴38が、揺動体３の中心軸Ｚ上に設けられている。
【００４６】
揺動体３の前記上本体3Aと前記下本体3Bとは、当接部39で上下に二分割されており、ボルトＢによって一体化されている。当該当接部39には、前記制動板15が配置され、当該制動板15は上本体3Aと下本体3Bとで挟持されている。
【００４７】
制動板15は、図3に示すように、導体、例えば銅で形成された板状の部材からなり、挿通穴45と、複数（本図では２個）の制動片46、及び、係止片47とを有する。挿通穴45は、上本体3Aの下端に形成された挿通部48に挿通し得ると共に、制動片46及び係止片47が揺動体３に対し、所定位置に配置されるよう、凸部49が形成されている。
【００４８】
制動片46は、矩形状に形成されており、半径方向へ突出してなる。また、制動片46は、それぞれ互いに所定角度、本図では約９０度離れて設けられている。このように構成された制動片46は、一対の磁石14の間に配置される。また、係止片47は、三角形状に形成されており、半径方向へ突出してなる。
【００４９】
このように構成された制動板15を上本体3Aと下本体3Bとで挟持することにより、係止片47が形成された制動板15を、揺動体３の下端より軸支部30に近い位置に配置する構成とした。また、係止片47は、制動板15が上本体3Aと下本体3Bとで挟持された状態で、揺動体３の半径方向へ突出して形成されている。
操作部11は、図4に示すように、ロック部51と、スイッチ部52とを備え、全体として、揺動体３をロックすると同時に電源をオフすると共に、揺動体３のロックを解除すると同時に電源をオンし得るように構成されている。
【００５０】
ロック部51は、係止爪53と、位置決め突起54とを有する。係止爪53は、操作部11を一方向に回動させると、係止片47の底面に当接すると同時に、係止片47の一辺47Aに係合し得るように構成されている（本図（Ａ））。同様に、位置決め突起54は、揺動体３の中心に向かって水平方向に突設されており、操作部11を一方向に回動させると、揺動体３を水平方向に押して揺動体３を所定位置に位置決めし得るように構成されている。
【００５１】
操作部11は、弾性部材55により、一方向へ付勢されており、一方向へ回動させた状態で保持され得る。また、操作部11は、一方向へ回動させた状態において、弾性部材55の付勢力に抗して他方向への回転力を与えることにより、他方向へ回動し得るように構成されている。
【００５２】
（２）動作及び効果
次に上記のように構成されたレーザ墨出し器１の動作及び効果について説明する。尚、説明の便宜上、揺動体３がロックされた状態を初期状態として説明する。すなわち、初期状態とは、操作部11を一方向へ回動することにより、揺動体３がロックされた状態（図４（Ａ））であって、スイッチ部52はオフの状態である。
【００５３】
まず、所定位置に初期状態のレーザ墨出し器１を載置する。次いで、操作部11を操作して電源をオンする。すなわち、ユーザが、操作部11を他方向へ回動することにより、スイッチ部52がオンされる。同時に、ロック部51は、位置決め突起54を戻しながら、係止爪53を係止片47から解除することにより、揺動体３のロックを解除する（図４（Ｂ））。
【００５４】
そうすると、レーザ墨出し器１は、揺動体３が水平部９の軸支部30で中心軸Ｚ上に垂下されるとともに、各レーザ投射器４が点灯することにより当該レーザ投射器４から所定方向にレーザ光を投射し、ユーザが所望の墨出し作業をし得る。尚、レーザ投射器４は、図示しない切替スイッチにより、所望の方向のレーザ光のみを投射させることとしてもよい。
【００５５】
ここで、揺動体３は、制動板15の制動片46が一対の磁石14の間に配置されている。従って、制動片46が移動すると、制動片46に渦電流が発生し、渦電流と磁石14間の磁束とによって、制動片46の移動方向とは逆方向の電磁力が生じる。この電磁力により、レーザ墨出し器１は、軸支部30を回転中心として揺動した揺動体３を短時間で制止することができるので、迅速に作業を開始できる。従って、レーザ墨出し器１は、作業性を向上することができる。
【００５６】
また、本実施形態の場合、制動片46は、２個設けることとしたことにより、レーザ墨出し器１は、２軸（第１水平軸Ｖｘ及び第２水平軸Ｖｙ）で軸支された揺動体３を、より短時間で制止することができる。
【００５７】
磁石14を保持しているヨーク16は、前記磁石14と前記揺動体３とを仕切るように形成された壁部18を有するので、磁石14による磁束が揺動体３に与える影響を抑制することができる。そうすると、レーザ墨出し器１は、レーザ投射器４に設けられている半導体レーザが磁石14に吸着するのを防ぐことができる。従って、レーザ墨出し器１は、揺動体３を自然に鉛直方向に垂下させることができるので、より迅速かつ正確に墨出しを行うことができ、作業性を向上することができる。
【００５８】
また、レーザ墨出し器１は、調節ネジ33がダブルナットで構成されていることにより、任意の位置で確実に固定することができる。したがって、レーザ墨出し器１は、より確実に揺動体３のバランスを保持することができるので、作業性を向上することができる。
【００５９】
尚、基板22は、揺動体３が揺動して通電板37にＯリング36が当接することにより、揺動体３から基板22へ、Ｏリング36を介して電流が流れ、レーザ投射器４を消灯するように構成されている。これにより、レーザ墨出し器１は、揺動体３が揺動可能に鉛直方向に垂下されないために正確な墨出し作業ができない状態であることをユーザに通知する。これにより、ユーザが、脚体10の長さを調節して、正確な墨出し作業を行える状態とすることができるので、レーザ墨出し器１は作業性を向上することができる。
【００６０】
次いで、墨出し作業が終了した場合について説明する。この場合、ユーザが操作部11を他方向へ回動すると、スイッチ部52がオフとなるのでレーザ投射器４が消灯する。同時に、ロック部51は、位置決め突起54が揺動体３を水平方向へ押し出しながら、係止爪53を係止片47に対し係止させ、揺動体３をロックする（図４（Ａ））。
【００６１】
ここで、揺動体３は、上本体3Aと下本体3Bとからなり、当該上本体3Aと下本体3Bとで制動板15を挟持する構成としたことにより、上本体3Aと制動板15と下本体3Bとの間のクリアランスが無いか又はごく僅かであるため、揺動体３をロックしたときに、制動板15が位置ずれを起こすことを抑制することができる。従って、レーザ墨出し器１は、揺動体３のロック及び解除において、制動板15のずれが揺動体３のバランスに与える影響を軽減することができるので、作業性を向上することができる。
【００６２】
また、係止片47が形成された制動板15を、揺動体３の下端より軸支部30に近い位置に配置する構成としたことにより、レーザ墨出し器１は、揺動体３の下端においてロックする従来例に比べ、制動板15がずれた場合の揺動体３のバランスに与える影響を軽減することができる。
【００６３】
さらに、係止片47が形成された制動板15を、揺動体３の下端より軸支部30に近い位置に配置する構成としたことにより、レーザ墨出し器１は、揺動体３の可動範囲を狭くすることができるので、揺動体３をより短時間で制止することができると共に、小型化を実現することができる。
【００６４】
また、係止片47は、揺動体３の直近に配置される構成とした。これにより、レーザ墨出し器１は、揺動体３の直近で係止片47に係止爪53を係止させ、ロックすることができるので、揺動体３から離れた位置でロックする従来例に比べ、ロック時に揺動体3に与える歪みを少なくできる。従って、レーザ墨出し器１は、揺動体３のロック及び解除の際に、制動板15が揺動体３に対して生じるずれを少なくすることができるので、揺動体３のバランスに与える影響をより軽減することができる。
【００６５】
さらに、係止片47は、揺動体３の半径方向へ突出して設けられていることにより、揺動体３の直近に配置される構成とした。これにより、レーザ墨出し器１は、小型化を実現し、その分コストを低減することができる。
【００６６】
また、ロック部51は、操作部11を一方向に回動させると、位置決め突起54が揺動体３を水平方向に押して位置決めすることにより、係止爪53が、係止片47の底面に当接すると同時に、係止片47の一辺47Aに係合し得るように構成されている。これにより、揺動体３をレーザ墨出し器１の中心に近い位置に位置決めしてロックすることができるので、ロック部51は、揺動体３の下端に設けたＯリング36が通電板37に当接しない状態で揺動体３をロックすることができる。従って、レーザ墨出し器１は、当該Ｏリング36の変形を防ぐと共に、当該Ｏリング36と通電板37とが密着するのを防いで、揺動体３のロックを解除した際に、直ちに揺動体３を鉛直方向に垂下させることができるので、作業性を向上することができる。
【００６７】
また、調整ネジ33を軸支部30より下方に配置する構成としたことにより、重量バランスが軸支部30より下方となるので、ロックを解除した際に、揺動体３を同じ位置に戻すことができる。従って、レーザ墨出し器１では、揺動体３のロック及び解除において、揺動体３の位置の再現性を向上することができるので、作業性を向上することができる。
【００６８】
本発明は上記実施形態に限定されるものではなく、本発明の趣旨の範囲内で適宜変更することができる。例えば、上記実施形態において、壁部18は、ヨーク16に一体的に形成した場合について説明したが、本発明はこれに限らず、ヨーク16とは別体の壁部18を、磁石14と揺動体３との間に配置することとしてもよい。
【００６９】
また、上記実施形態において、通電部は導電性材料で形成したＯリングを適用した場合について説明したが、本発明はこれに限らず、導電性材料で形成したフィルムや、テープなどを用いてもよい。
【符号の説明】
【００７０】
１    レーザ墨出し器
２    基台
３    揺動体
3A    上本体
3B    下本体
４    レーザ投射器
５    ダンパー
14    磁石（磁気発生部）
15    制動板
16    ヨーク
17    ヨーク本体
17A    上部
17B    下部
18    壁部
22    制御部（基板）
36    Ｏリング（通電部）
39    当接部
46    制動片
47    係止片
51    ロック部
53    係止爪
54    位置決め突起